(57)【要約】【課題】現場への搬入、設置、現場からの搬出を容易に、短時間で、効率よく行うことができる足場板を提供する。【解決手段】軽量で、かつ、工事用の材料、機材、作業者の重量を受けても陥没したり、破損したりすることのない強度を有する材料から形成される下板２及び上板３と、前記下板２の表裏面の少なくとも一方、及び前記上板３の表裏面の少なくとも一方に一体に設けられて前記下板２及び前記上板３の曲げ剛性を高め、前記下板２及び前記上板３が前記工事用の材料、機材、及び作業者の重量による荷重によって湾曲するのを阻止し得る軽量の繊維強化プラスチック製の補強材４と、前記下板２と前記上板３との間に一体に介装されるとともに、前記下板２及び前記上板３が前記工事用の材料、機材、及び作業者の重量による荷重を受けても、その荷重によって押し潰されることのない強度を有する軽量の材料から形成される中芯材５とからなり、全体が作業者が一人で運搬可能な大きさ、重量に形成されている。【選択図】図１
2011144580.tif 000002
【特許請求の範囲】
【請求項１】
軽量で、かつ、工事用の材料、機材、作業者の重量を受けても陥没したり、破損したりすることのない強度を有する材料から形成される下板及び上板と、前記下板の表裏面の少なくとも一方、及び前記上板の表裏面の少なくとも一方に一体に設けられて前記下板及び前記上板の曲げ剛性を高め、前記下板及び前記上板が前記工事用の材料、機材、及び作業者の重量による荷重によって湾曲するのを阻止し得る軽量の繊維強化プラスチック製の補強材と、前記下板と前記上板との間に一体に介装されるとともに、前記下板及び前記上板が前記工事用の材料、機材、及び作業者の重量による荷重を受けても、その荷重によって押し潰されることのない強度を有する軽量の材料から形成される中芯材とからなり、全体が作業者が一人で運搬可能な大きさ、重量に形成されていることを特徴とする足場板。
【請求項２】
前記下板及び前記上板は、木製、プラスチック製の板材であることを特徴とする請求項１に記載の足場板。
【請求項３】
前記中芯材は、気泡緩衝材シート、紙製の段ボールシート、発泡スチロール製の板材、又は紙製又はプラスチック製のハニカム構造材からなることを特徴とする請求項1又は２に記載の足場板。
【請求項４】
前記中芯材の周囲の前記下板と前記上板との周縁部間に、前記中芯材の全周を囲むように、又は前記中芯材の周囲を部分的に囲むように、小口補強材を設けたことを特徴とする請求項１から３の何れか１項に記載の足場板。
【請求項５】
建物の室内に配置された障害物の上方の天井部の工事に用いられる足場板の設置方法であって、
前記障害物を間に挟んだ状態で一対の支持部材を設置し、該一対の支持部材の上部間に、請求項１〜４の何れか１項に記載の足場板を前記障害物を跨いだ状態で架け渡すことを特徴とする足場板の設置方法。
【発明の詳細な説明】
【技術分野】
【０００１】
本発明は、足場板及び足場板の設置方法に関し、特に、建物の室内に設置された机、椅子、各種の事務機器等の障害物を移動させることなく設置し、障害物の上方の天井部に対して行う各種の工事に有効な足場板及び足場板の設置方法に関する。
【背景技術】
【０００２】
建物の室内の天井部に対して、天井板の張り替え、配管、配線等の交換、増設等の各種の工事を行う場合、室内に設置されている机、椅子、事務機器等の障害物を避けて足場を設置し、この足場を利用することにより、障害物を移動させることなく、障害物の上方の天井部に対して各種の工事を行っている。
【０００３】
例えば、障害物の両外側に障害物を避けて一対の脚立を設置し、両脚立の上部間に障害物を跨いだ状態で鋼製、アルミ製、強化プラスチック製等の足場板を架け渡し、障害物の上部を養生シートで覆い、この状態で障害物の上方の天井部に対して各種の工事を行っている（例えば、非特許文献１参照。）。
【０００４】
しかし、上記のような構成の足場にあっては、脚立及び足場板の重量が重いため、それらを現場に搬入して設置する作業、及び工事の完了後にそれらを現場から撤去して搬出する作業に時間と手間がかかり、また、作業者の負担も大きいものであった。
【先行技術文献】
【特許文献】
【０００５】
【非特許文献１】社団法人仮設工業会ホームページ（インターネット、ｈｔｔｐ：／／ｗｗｗ．ｋａｓｅｔｓｕ．ｏｒ．ｊｐ／、平成２１年１２月２８日検索）
【発明の概要】
【発明が解決しようとする課題】
【０００６】
本発明は、上記のような従来の問題に鑑みなされたものであって、現場への搬入、設置、現場からの撤去を容易に行うことができるとともに、作業者の負担を軽減させることができる、足場板及び足場板の設置方法を提供することを目的とする。
【課題を解決するための手段】
【０００７】
上記のような課題を解決するために、本発明は、以下のような手段を採用している。
すなわち、本発明は、軽量で、かつ、工事用の材料、機材、作業者の重量を受けても陥没したり、破損したりすることのない強度を有する材料から形成される下板及び上板と、前記下板の表裏面の少なくとも一方、及び前記上板の表裏面の少なくとも一方に一体に設けられて前記下板及び前記上板の曲げ剛性を高め、前記下板及び前記上板が前記工事用の材料、機材、及び作業者の重量による荷重によって湾曲するのを阻止し得る軽量の繊維強化プラスチック製の補強材と、前記下板と前記上板との間に一体に介装されるとともに、前記下板及び前記上板が前記工事用の材料、機材、及び作業者の重量による荷重を受けても、その荷重によって押し潰されることのない強度を有する軽量の材料から形成される中芯材とからなり、全体が作業者が一人で運搬可能な大きさ、重量に形成されていることを特徴とする。
【０００８】
本発明の足場板によれば、全体が作業者が一人で運搬可能な大きさ、重量に形成されているので、室内の工事現場への搬入、設置、工事完了後の現場からの撤去を容易に、短時間で、効率よく行うことができる。
また、下板及び上板は、工事用の材料、機材、及び作業者の重量を受けても、陥没したり、破損したりすることのなく、また、下板及び上板は、繊維強化プラスチック製の補強材によって曲げ剛性が高められて、工事用の材料、機材、及び作業者の重量を受けても湾曲することはなく、さらに、中芯材は、下板及び上板が工事用の材料、機材、及び作業者の重量を受けても、それらの重量によって押し潰されるようなことはないので、足場板を作業床として用いて天井部に対して各種の工事を行う場合に、足場板が湾曲して作業に支障を来たすようなことはなく、各種の作業を効率よく行うことができる。
【０００９】
また、本発明において、前記下板及び前記上板は、木製、プラスチック製の板材であることとしてもよい。
【００１０】
さらに、本発明において、前記中芯材は、気泡緩衝材シート、紙製の段ボールシート、発泡スチロール製の板材、又は紙製又はプラスチック製のハニカム構造材からなることとしてもよい。
【００１１】
さらに、本発明において、前記中芯材の周囲の前記下板と前記上板との周縁部間に、前記中芯材の全周を囲むように、又は前記中芯材の周囲を部分的に囲むように、小口補強材を設けたこととしてもよい。
【００１２】
本発明による足場板によれば、小口補強材により、下板及び上板の周縁部の強度を高めることができる。
【００１３】
さらに、本発明は、建物の室内に配置された障害物の上方の天井部の工事に用いられる足場板の設置方法であって、前記障害物を間に挟んだ状態で一対の支持部材を設置し、該一対の支持部材の上部間に、請求項１〜４の何れか１項に記載の足場板を前記障害物を跨いだ状態で架け渡すことを特徴とする。
【発明の効果】
【００１４】
以上、説明したように、本発明の足場板及び足場板の設置方法によれば、建物の室内の工事現場への搬入、設置、工事完了後の現場からの搬出を容易に、短時間で、作業者に大きな負担をかけることなく、行うことができる。
【図面の簡単な説明】
【００１５】
【図１】本発明による足場板の一実施の形態を示した斜視図である。
【図２】図１の足場板の設置状態を示した平面図である。
【図３】図２の正面図である。
【発明を実施するための形態】
【００１６】
以下、図面を参照しながら本発明の実施の形態について説明する。図１〜図３には、本発明による足場板の一実施の形態が示されている。この足場板１は、建物の室内の天井部１５に対して行う各種の工事（例えば、天井板の張替え工事、配管、配線の交換、増設工事等のリニューアル工事）に用いられ、室内の床１６上に設置された机、椅子、各種の事務機器等の障害物１７を移動させることなく、障害物１７の上方の天井部１５に対して各種の工事を行うのに有効なものである。
【００１７】
すなわち、本実施の形態の足場板１は、室内の床１６上に設置された障害物１７の両側に障害物１７を避けて設置される一対の支持部材１０、１０の上部間に障害物１７を跨いだ状態で架け渡され、この足場板１の上部に作業者が乗った状態で障害物１７の上方の天井部１５に対して各種の工事を行う。
【００１８】
本実施の形態においては、室内の床１６上に６組の机、椅子（以下、「障害物１７」という。）が平面視略長方形状をなすように設置され、この障害物１７の両長辺１８の外側に所定の間隔をおいて、かつ、両長辺１８に沿うように一対の支持部材１０、１０が設置されている。
【００１９】
各支持部材１０は、複数のブロック状又は箱状の部材１１を組み合わせて所定の大きさの直方体状に形成したものであって、本実施の形態においては、９個のブロック状の部材１１を組み合わせることにより直方体状に形成されている。
【００２０】
各支持部材１０を構成する各部材１１は、建物に設置されている階段、エレベータ等を用いて作業者が一人で室内の工事現場に搬入可能な大きさ、重量（例えば、２０ｋｇ以下）の軽量材から形成されている。軽量材としては、例えば、プラスチック、紙、金属、軽石等が挙げられる。
【００２１】
本実施の形態においては、軽量材として発泡スチロールを用い、各部材１１を所定の大きさ、重量（約２０ｋｇ）の中実の直方体状に形成し、この大きさの部材１１を上下に３段重ねたものを一組とし、この一組の部材１１を障害物１７の各長辺１８の外側に各長辺１８に沿うように３組設置し、各支持部材１０を所定の大きさの直方体状に形成している。
【００２２】
また、各支持部材１０を構成する部材１１は、一対の支持部材１０、１０の上部間に後述する足場板１を架け渡し、足場板１の上部に工事用の材料や各種の機材を載せ、さらに、足場板１の上部に作業者（二人の作業者）が乗って天井部１５に対して各種の工事を行う場合に、それらの荷重を一対の支持部材１０、１０で支持できるように、強度が設定されている。
【００２３】
各支持部材１０を構成する９個の部材１１は、室内の床１６上に載置するだけでもよいし、各組の上下の部材１１、１１間、及び障害物１７の長辺１８方向に隣接する二組の部材１１、１１間を粘着テープ等によって分割可能に接合するように構成してもよい。
【００２４】
足場板１は、一対の支持部材１０、１０の上部間に障害物１７を跨ぐように架け渡される長方形板状をなすものであって、建物に設置されている階段やエレベータを用いて作業者が一人で室内の作業現場に搬入し得る大きさ、重量に形成され、例えば、長さ：１５０ｃｍ（作業者が部屋の中で回すことが容易な長さ）、幅：５０ｃｍ、厚さ：２．５ｃｍ、重量３．６ｋｇの長方形板状に形成される。
【００２５】
また、足場板１は、その上部に工事用の材料や各種の機材を載せ、さらに、作業者（二人の作業者）が乗って天井部１５に対して各種の工事を行う場合に、それらの荷重を支持できる強度に設定され、例えば、耐荷重：２００ｋｇに設定される。
【００２６】
足場板１は、長方形板状の下板２と、下板２の上方に所定の間隔をおいて設けられる長方形板状の上板３と、下板２と上板３との間に介装される中芯材５と、下板２の表面２ａ及び上板３の表面３ａにそれぞれ一体に設けられる補強材４とから構成されている。
なお、本実施の形態においては、下板２の表面２ａ及び上板３の表面３ａのみに補強材４を設けているが、下板２の裏面２ｂ及び上板３の裏面３ｂのみに補強材４を設けてもよいし、下板２の表裏面２ａ、２ｂの両方、及び上板３の表裏面３ａ、３ｂの両方に補強材４を設けてもよい。
【００２７】
下板２及び上板３は、軽量で、かつ、足場板１の上部に作業者が乗って障害物１７の上方の天井部１５に対して各種の工事を行う場合に、工事用の材料の重量、各種の機材の重量、作業者の重量（作業者二人の重量）等による荷重を受けても、部分的に陥没したり、破損等したりすることがない強度を有する材料（例えば、木製、プラスチック製等の板材）から形成される。本実施の形態においては、ベニヤ板により下板２及び上板３を形成し、このベニヤ板製の下板２の表面２ａ及び上板３の表面３ａにそれぞれ補強材４を一体に設けている。
【００２８】
補強材４は、軽量で、かつ下板２及び上板３の強度（曲げ剛性）を高めことができる材料から形成されるものであって、本実施の形態においては、繊維強化プラスチック製の帯状の板材を補強材４として用い、この補強材４を下板２の表面２ａの中央部の２箇所、及び上板３の表面３ａの中央部の２箇所に全長に渡って接着剤により一体に接合している。
【００２９】
補強材４によって下板２及び上板３の強度を高めることにより、足場板１の上部に作業者が乗って障害物１７の上方の天井部１５に対して各種の工事を行う場合に、下板２及び上板３が工事用の材料の重量、各種の機材の重量、及び作業者の重量（二人の作業者の重量）等による荷重を受けても、その荷重によって下板２及び上板３が湾曲するようなことはなく、足場板１の上部での作業に支障を来たすようなことはない。
【００３０】
なお、補強材４は、必ずしも全長を下板２及び上板３に接着剤によって一体に接合する必要はなく、少なくとも両端部（全長の１／４の長さ）を下板２及び上板３に一体に接合するようにしてもよい。また、下板２及び上板３の表面２ａ、３ａの３箇所以上に補強材４を設けてもよいし、所定の強度を確保することができる場合には、下板２及び上板３の表面２ａ、３ａの１箇所に補強材４を設けてもよいし、下板２及び上板３の全長よりも短い補強材４を用いてもよい。さらに、補強材４を、ビス止め等の手段によって下板２及び上板３の表面２ａ、３ａに一体に接合するように構成してもよい。さらに、下板２及び上板３の所定の強度を確保することができる場合には、下板２又は上板３の何れか一方のみに補強材４を一体に接合するように構成してもよい。
【００３１】
補強材４を構成する繊維強化プラスチックとしては、ガラス繊維強化プラスチック、炭素繊維強化プラスチック、ボロン繊維強化プラスチック、アラミド繊維強化プラスチック等が挙げられ、本実施の形態においては、炭素繊維強化プラスチック製の板材によって補強材４を形成している。
【００３２】
中芯材５は、軽量で、かつ、足場板１の上部に作業者が乗って障害物１７の上方の天井部１５に対して各種の工事を行う場合に、工事用の材料の重量、各種の機材の重量、及び作業者の重量（二人の作業者の重量）、上板３の重量等による荷重を受けても、その荷重によって押し潰されることのない強度を有する材料から形成されるものであって、例えば、プラスチック製、ビニル製の気泡緩衝材シート、紙製の段ボールシート、発泡スチロール製の板材、紙製又はプラスチック製（繊維強化プラスチック製を含む）のハニカム構造材から形成されている。但し、これに限らず、同様の機能を有するものであればよい。本実施の形態においては、下板２及び上板３よりも一回り小さい平面視長方形状の所定の厚さの紙製のハニカム構造材を用い、このハニカム構造材を下板２と上板３との介装させることによって中芯材５を構成している。
【００３３】
ハニカム構造材は、例えば、複数本の紙製パイプ６を隙間なく並べ、隣接する紙製パイプ６、６間を接着剤によって一体に連結することによって所定の厚さの平面視長方形状に形成したものであって、このハニカム構造材からなる中芯材５を下板２と上板３との間に介装させて、中芯材５と下板２及び上板３との間を接着剤で一体に接合することにより、中芯材５と下及２及び上板３とを一体化している。
【００３４】
図１に示すように、中芯材５の周囲（小口）の下板２と上板３との周縁部間に空間を形成した状態のままでもよいが、必要に応じて、中芯材５の周囲の下板２と上板５との周縁部間に、中芯材５を囲むように小口補強材（図示せず）を設け、小口補強材と下板２及び上板３とを接着剤を介して一体化することにより、下板２及び上板３の周縁部の強度を高めるように構成してもよい。
【００３５】
小口補強材は、中芯材５と同様に、軽量で、かつ、足場板１の上部に作業者が乗って障害物１７の上方の天井部１５に対して各種の工事を行う場合に、工事用の材料の重量、各種の機材の重量、及び作業者の重量（二人の作業者の重量）、上板３の重量等による荷重を受けても、その荷重によって押し潰されることのない強度を有する材料から形成され、例えば、プラスチック製（繊維強化プラスチック製を含む）のパイプ材、棒材、又はチャンネル材から形成される。小口補強材は、中芯材５の全周を囲むように設けてもよいし、中芯材５の周囲に部分的に設けてもよい。
【００３６】
上記のように構成した足場板１を作業床７として用いて、室内の天井部１５に対して各種の工事を行うには、作業者が一人で工事対象となる建物の室内に出入口から支持部材１０の構成部材１１、及び足場板１を搬入する。なお、工事対象の室が２階以上の場合には、建物に設置されている階段、エレベータ等を利用する。
【００３７】
そして、室内に設置されている障害物１７の各長辺１８の外側に所定の間隔をおいて、９個の部材１１からなる直方体状の支持部材１０を設置し、必要に応じて、各支持部材１０の各組の上下の部材１１、１１間を粘着テープ等によって接合し、隣接する二組の部材１１、１１間を粘着テープ等によって接合する。
【００３８】
次に、一対の支持部材１０、１０の上部間に複数枚の足場板１を架け渡し、複数枚の足場板１からなる作業床７を構成する。この場合、必要に応じて、各足場板１の両端を各支持部材１０に粘着テープ等によって接合し、隣接する足場板１、１間を粘着テープ等によって接合する。
【００３９】
そして、上記のように構成した作業床７の上部に工事用の材料や各種の機材を載せ、作業床７の上部に作業者（二人の作業者）が乗った状態で、それらの材料や機材を用いて天井部１５に対して作業を行うことにより、障害物１７を移動させることなく、障害物１７の上方の天井部１５の天井板の張り替え、配線や配管の増設等の各種の工事を行うことができる。そして、天井部１５に対する各種の工事が終了した後に、各足場板１を一対の支持部材１０、１０の上部間から取り外し、各支持部材１０を部材１１に分解し、それらを室内から搬出する。
【００４０】
上記のように構成した本実施の形態の足場板１にあっては、作業者が一人で運搬可能な大きさ、重量に形成されているので、室内へ搬入して設置する作業、工事完了後に室内から搬出する作業を、容易に、短時間で、効率良く行うことができる。
【００４１】
また、足場板１は、ベニヤ板からなる下板２及び上板３と、下板２及び上板３の表面２ａ、３ａに設けられる繊維強化プラスチック製の補強材４と、下板２と上板３との間に介装される紙製のハニカム構造材からなる中芯材５とからなる構造の簡単なものであるので、価格を安く抑えることができる。
【００４２】
さらに、下板２及び上板３を、それらの表面２ａ、３ａに設けた繊維強化プラスチック製の補強材４と、それらの間に介装させた中芯材５とによって補強しているので、作業者が足場板１の上部に乗って天井部１５に対して各種の工事を行う場合に、下板２及び上板３が撓んで工事に支承を来たすようなことはなく、天井部１５に対する工事を効率よく行うことができる。
【００４３】
なお、上記の説明においては、各支持部材１０を９個の部材１１を組み合わせることによって直方体状に形成したが、障害物１７の大きさによっては、８個以下の部材１１、又は１０個以上の部材１１を組み合わせて直方体状に形成してもよいし、１つの部材１１によって直方体状に形成してもよい。
【００４４】
また、上記の説明においては、各支持部材１０の各部材１１を中実の直方体状に形成したが、直方体に限らず、その他の中実の立体形状（円柱状、角柱状等）に形成してもよいし、各部材１１を中空に形成し、複数の中空の部材１１を組み合わせることにより、中空の直方体、円柱、角柱状等に形成してもよい。
【００４５】
さらに、上記の説明においては、各支持部材１０を直方体状に形成し、一対の支持部材１０、１０を障害物１７の外側に障害物１７の長辺１８に沿うように設けたが、障害物の外側の四隅に、水平状態に展開可能な側板を有するキャスター付きの支持台を設置し、各支持台の側板を水平方向に展開させ、対向する支持台の側板間に障害物を跨ぐように足場板を架け渡してもよい。
【００４６】
表１に、従来のアルミ製の足場板と本発明による足場板とを記載する。この表１から、従来のアルミ製の足場板は、１ｍ２の重量が１０．４２ｋｇであるのに対し、本発明の足場板は、１ｍ２の重量が４．８０ｋｇであり、本発明の足場板が従来のアルミ製の足場板よりも大幅に軽量化したことが分かる。
【００４７】
＜表１＞
2011144580.tif 000003
【符号の説明】
【００４８】
１  足場板
２  下板
２ａ  表面
２ｂ  裏面
３  上板
３ａ  表面
３ｂ  裏面
４  補強材
５  中芯材
６  紙製パイプ
７  作業床
１０  支持部材
１１  部材
１５  天井部
１６  床
１７  障害物
１８  長辺
【図１】
2011144580.tif 000004
【図２】
2011144580.tif 000005
【図３】
2011144580.tif 000006